(57)【要約】【課題】提供される香りの精度を高めることが可能な香料保持体、および、香り提供装置を提供する。【解決手段】香り提供装置は、芳香化合物が固定された不揮発性化合物を有する香料保持体にて、固定を解除する液体と不揮発性化合物とを混合して香りを提供する提供部と、香りを提供した香料保持体に対しさらなる香りの発生を抑える抑止部と、提供部から抑止部へ香料保持体を搬送する搬送部と、を備える。香料保持体は、基材と、基材に配置されて芳香化合物が固定された不揮発性化合物と、を備える。【選択図】図３
2014136124.tif 000002
【特許請求の範囲】
【請求項１】
芳香化合物が固定された不揮発性化合物を有する香料保持体にて、前記固定を解除する液体と前記不揮発性化合物とを混合して香りを提供する提供部と、
前記香りを提供した前記香料保持体に対しさらなる香りの発生を抑える抑止部と、
前記提供部から前記抑止部へ前記香料保持体を搬送する搬送部と、
を備える香り提供装置。
【請求項２】
前記搬送部は、
１つの方向に沿って延びる帯状をなす前記香料保持体を前記提供部から前記抑止部へ掛け渡し、前記香料保持体の延びる方向に沿って前記提供部から前記抑止部へ前記香料保持体を搬送する
請求項１に記載の香り提供装置。
【請求項３】
前記液体は、前記香料保持体の基材に浸透し、
前記提供部は、１つの方向に沿って延びる帯状をなす前記香料保持体のうち前記不揮発性化合物を有する表面とは反対側の裏面に対し前記液体を供給し、前記基材を通じて前記不揮発性化合物と前記液体とを混合する
請求項１または２に記載の香り提供装置。
【請求項４】
前記提供部は、
前記香料保持体にて前記不揮発性化合物と前記液体とを相互に隔離する隔離部材を変位させ、前記隔離部材の変位によって前記不揮発性化合物と前記液体とを混合する
請求項１または２に記載の香り提供装置。
【請求項５】
前記提供部は、
前記香料保持体にて前記液体が封入された部位への加圧によって前記隔離部材を変位させ、前記香料保持体にて前記不揮発性化合物が収容された部位に前記液体を押し込むことによって前記不揮発性化合物と前記液体とを混合する
請求項４に記載の香り提供装置。
【請求項６】
前記提供部は、
前記香料保持体を加熱する加熱部をさらに備える
請求項１〜５のいずれか１つに記載の香り提供装置。
【請求項７】
前記加熱部は、
前記香料保持体に設けられた金属膜への電流の供給によって前記香料保持体を加熱する
請求項６に記載の香り提供装置。
【請求項８】
前記抑止部は、
外部から遮蔽された容器を備え、
前記搬送部は、
前記香りを提供した前記香料保持体を前記容器に搬入する
請求項１〜７のいずれか１つに記載の香り提供装置。
【請求項９】
基材と、
前記基材に配置されて芳香化合物が固定された不揮発性化合物と、を備え、
前記不揮発性化合物は、前記固定を解除する液体との混合によって香りを発生させる
香料保持体。
【請求項１０】
前記基材は、前記液体を浸透させる
請求項９に記載の香料保持体。
【請求項１１】
前記液体は、水であり、
前記不揮発性化合物は、前記芳香化合物と、前記芳香化合物を取り囲むシクロデキストリンと、を含む、
請求項９に記載の香料保持体。
【請求項１２】
前記基材に配置された前記不揮発性化合物と前記液体とを相互に隔離する隔離部材をさらに備える
請求項１１に記載の香料保持体。
【請求項１３】
前記不揮発性化合物が収容される収容部と、
前記液体が封入される封入部と、
前記収容部内と前記封入部内とを隔離する前記隔離部材と、を備え、
前記隔離部材は、前記封入部が加圧されることによって前記隔離を解除して前記収容部へ前記液体を流入させる
請求項１２に記載の香料保持体。
【発明の詳細な説明】
【技術分野】
【０００１】
本開示の技術は、香料を保持する香料保持体、および、香料保持体を用いて香りを提供する香り提供装置に関する。
【背景技術】
【０００２】
従来から、複数の種類の香りを各別に提供する香り提供装置が知られている。特許文献１に記載の香り提供装置は、ウェブサーバから送信される情報に基づいて香りの種類を決定する。非特許文献１に記載の香り提供装置は、香りの種類の決定を映像の切り替わりに同期させて、動画の場面に応じた香りを提供する。
【先行技術文献】
【特許文献】
【０００３】
【特許文献１】特開２０１０−２５７１２６号公報
【非特許文献】
【０００４】
【非特許文献１】月刊ディスプレイ  ２０１０年９月号（第１６巻９号・通巻１８４号）、第７２頁〜第７９頁（ＩＳＳＮ  １３４１−３９６１）
【発明の概要】
【発明が解決しようとする課題】
【０００５】
上述の香り提供装置に用いられる香りを提供する方法の１つでは、容器内に空気を入れる導入管と、容器から空気を出す導出管とが接続された香料容器が用いられる。そして、導入管から香料容器に送り込まれた空気は、容器内の液体香料の液面上を通って導出管に入り、気化した香料と共に導出管から出る。しかしながら、この方法では、導出管を通る香料が導出管の内部に付着するため、付着した香料が意図しないタイミングで導出管から放出されて、意図しない香りが発生することがある。
【０００６】
本開示の技術は、提供される香りの精度を高めることが可能な香料保持体、および、香り提供装置を提供することを目的とする。
【課題を解決するための手段】
【０００７】
本開示の技術における香り提供装置の一態様は、芳香化合物が固定された不揮発性化合物を有する香料保持体にて、前記固定を解除する液体と前記不揮発性化合物とを混合して香りを提供する提供部と、前記香りを提供した前記香料保持体に対しさらなる香りの発生を抑える抑止部と、前記提供部から前記抑止部へ前記香料保持体を搬送する搬送部と、を備える。
【０００８】
上記構成によれば、提供部にて香りを提供する前の香料保持体からの香りの発生と、提供部にて香りを提供した後の香料保持体からの香りの発生とが抑えられる。それゆえに、香りが提供される前と香りが提供された後との両方で、芳香化合物の不要な気化が抑えられるため、提供される香りの精度が高められる。
【０００９】
本開示の技術における香り提供装置の他の態様では、前記搬送部は、１つの方向に沿って延びる帯状をなす前記香料保持体を前記提供部から前記抑止部へ掛け渡し、前記香料保持体の延びる方向に沿って前記提供部から前記抑止部へ前記香料保持体を搬送する。
【００１０】
上記構成によれば、１つの方向に沿って延びる香料保持体が提供部と抑止部との間の搬送の経路に沿って掛け渡されるため、香料保持体を搬送の経路に沿って搬送することが容易となる。
【００１１】
本開示の技術における香り提供装置の他の態様では、前記液体は、前記香料保持体の基材に浸透し、前記提供部は、１つの方向に沿って延びる帯状をなす前記香料保持体のうち前記不揮発性化合物を有する表面とは反対側の裏面に対し前記液体を供給し、前記基材を通じて前記不揮発性化合物と前記液体とを混合する。
【００１２】
上記構成によれば、香りを提供する基材の表面とは反対側の裏面から液体が供給されるため、液体の供給源と不揮発性化合物とが基材によって物理的に隔絶される。それゆえに、液体の漏れなどによって不揮発性化合物と液体とが不要に混合することが抑えられる。
【００１３】
本開示の技術における香り提供装置の他の態様では、前記提供部は、前記香料保持体にて前記不揮発性化合物と前記液体とを相互に隔離する隔離部材を変位させ、前記隔離部材の変位によって前記不揮発性化合物と前記液体とを混合する。
【００１４】
上記構成によれば、香料保持体における隔離部材の変位によって、香料保持体にて不揮発性化合物と液体とが混ざり合う。それゆえに、香り提供装置では、液体を別途保管したり収容したりする構成が省略される。
【００１５】
本開示の技術における香り提供装置の他の態様では、前記提供部は、前記香料保持体にて前記液体が封入された部位への加圧によって前記隔離部材を変位させ、前記香料保持体にて前記不揮発性化合物が収容された部位に前記液体を押し込むことによって前記不揮発性化合物と前記液体とを混合する。
【００１６】
上記構成によれば、香料保持体に対する加圧によって不揮発性化合物と液体とが混ざり合うため、香り提供装置では、液体を別途保管したり収容したりする構成が省略される。
本開示の技術における香り提供装置の他の態様では、前記提供部は、前記香料保持体を加熱する加熱部をさらに備える。
【００１７】
上記構成によれば、香料保持体が加熱されることによって、香りの発生が促進されるため、香りの提供の効率が高められる。
本開示の技術における香り提供装置の他の態様では、前記加熱部は、前記香料保持体に設けられた金属膜への電流の供給によって前記香料保持体を加熱する。
【００１８】
金属膜は熱容量が小さいため、金属膜への電流の供給が停止されてから金属膜が冷めるまでにかかる時間が短い。したがって、上記構成によれば、加熱部による加熱が停止された後に、香料保持体からの香りの発生が抑えられる。その結果、香りの提供の停止に対する応答性が高められる。
【００１９】
本開示の技術における香り提供装置の他の態様では、前記抑止部は、外部から遮蔽された容器を備え、前記搬送部は、前記香りを提供した前記香料保持体を前記容器に搬入する。
【００２０】
上記構成によれば、香りを提供した香料保持体からのさらなる香りの発生を抑え、且つ、香りを提供した香料保持体を容器に回収することができる。
本開示の技術における香料保持体の一態様では、基材と、前記基材に配置されて芳香化合物が固定された不揮発性化合物と、を備え、前記不揮発性化合物は、前記固定を解除する液体との混合によって香りを発生させる。
【００２１】
上記構成によれば、香りを提供する前の香料保持体では、不揮発性化合物にて香料が固定され、不揮発性化合物と液体との混合によって香りの提供が進められる。それゆえに、香りが提供される前では、芳香化合物の不要な気化が抑えられるため、提供される香りの精度が高められる。
【００２２】
本開示の技術における香料保持体の他の態様では、前記基材は、前記液体を浸透させる。
上記構成によれば、基材に対し液体が浸透するため、不揮発性化合物に液体が直接供給されない構成であっても、基材を通じて、不揮発性化合物と液体との混合が可能になる。
【００２３】
本開示の技術における香料保持体の他の態様では、前記液体は、水であり、前記不揮発性化合物は、前記芳香化合物と、前記芳香化合物を取り囲むシクロデキストリンと、を含む。
【００２４】
上記構成によれば、香料保持体からの香りの発生は、シクロデキストリンの包接機能によって、不揮発性化合物と水とが混ざり合うまで抑えられる。また、液体が香料保持体に配置される構成であれば、液体が有機溶媒などである場合に比べて、香料保持体の取り扱いが容易である。そして、水そのものが香りを殆ど有しないため、不揮発性化合物と液体との混合に際し、液体の香りと芳香化合物の香りとが混合することも抑えられる。
【００２５】
本開示の技術における香料保持体の他の態様では、前記基材に配置された前記不揮発性化合物と前記液体とを相互に隔離する隔離部材をさらに備える。
上記構成によれば、不揮発性化合物と液体とが隔離部材によって相互に隔離されるため、１つの基材に２つの物質が配置される構成であっても、隔離部材による隔離の状態が保たれる範囲において、不揮発性化合物と液体との混合が抑えられる。
【００２６】
本開示の技術における香料保持体の一態様では、前記不揮発性化合物が収容される収容部と、前記液体が封入される封入部と、前記収容部内と前記封入部内とを隔離する前記隔離部材と、を備え、前記隔離部材は、前記封入部が加圧されることによって前記隔離を解除して前記収容部へ前記液体を流入させる。
【００２７】
上記構成によれば、香料保持体に対する加圧によって不揮発性化合物と液体とが混ざり合うため、不揮発性化合物と液体との混合に際し、香料保持体に対して別途液体を供給する構成が省略される。
【発明の効果】
【００２８】
本開示の技術によれば、香りが提供される前に意図しない香りが漏れることが抑えられるため、提供される香りの精度を高めることができる。
【図面の簡単な説明】
【００２９】
【図１】本開示の技術における第１の実施形態の香料保持体の斜視構造を示す斜視図。
【図２】第１の実施形態における香料保持体の断面構造を示す断面図。
【図３】第１の実施形態における香り提供装置の斜視構造をそれに適用される香料保持体と共に示す斜視図。
【図４】第１の実施形態における香り提供装置の断面構造を示す断面図。
【図５】第１の実施形態における香り提供装置の電気的構成を示すブロック図。
【図６】第１の実施形態における香り提供装置での水の供給の態様を示す図。
【図７】本開示の技術における第２の実施形態の香料保持体の斜視構造を示す斜視図。
【図８】第２の実施形態における香料保持体の断面構造を示す断面図。
【図９】第２の実施形態における香り提供装置での水の供給の態様を示す図。
【図１０】本開示の技術における第３の実施形態の香料保持体の平面構造を示す平面図。
【図１１】第３の実施形態における香料保持体の斜視構造を示す斜視図。
【図１２】第３の実施形態における香り提供装置での水の供給の態様を示す図。
【図１３】本開示の技術における第４の実施形態の香料保持体の斜視構造を示す斜視図。
【図１４】第４の実施形態における香り提供装置の断面構造を示す断面図。
【図１５】第４の実施形態における香り提供装置での加熱部による加熱の態様を示す斜視図。
【図１６】変形例の香り提供装置の断面構造を示す断面図。
【図１７】変形例の香り提供装置の断面構造を示す断面図。
【図１８】変形例の香料保持体の斜視構造を示す斜視図。
【発明を実施するための形態】
【００３０】
（第１の実施形態）
図１〜図６を参照して、香料保持体、および、香り提供装置の第１の実施形態について説明する。なお、第１の実施形態の香り提供装置は、音声付動画の進行に応じて、予め設定された香りを提供する装置である。まず、香り提供装置による香りの提供に用いられる香料保持体の構成について、図１および図２を参照して説明する。
【００３１】
図１に示されるように、香料保持体１０にて、帯状に形成された基材１１の貼り付け面には、香料に含まれる芳香化合物が固定された不揮発性化合物を収容する複数の香料収容部１２が配置される。複数の香料収容部１２の各々は、貼り付け面に貼り付けられた被覆膜１３によって覆われている。
【００３２】
基材１１は、例えば、不織布などの吸水性の高い材料から形成されている。基材１１の延びる方向と直交する方向における基材１１の幅は、例えば１０ｍｍに形成される。
複数の香料収容部１２の各々は、基材１１の延びる方向に沿って延びる矩形状に形成され、基材１１の延びる方向に沿って並べて配置されている。基材１１の延びる方向における香料収容部１２の長さは、例えば３０ｍｍに形成され、基材１１の延びる方向と直交する方向における香料収容部１２の幅は、例えば６ｍｍに形成されている。
【００３３】
被覆膜１３は、ガスバリア性を有するフィルムであって、例えば、ポリエチレンテレフタレート（ＰＥＴ）製のフィルムの両面に酸化ケイ素（ＳＩＯｘ）の薄膜が形成されたフィルムである。被覆膜１３は、基材１１の貼り付け面に剥離可能に貼り付けられている。
【００３４】
複数の香料収容部１２の各々の周囲のうち、基材１１の延びる方向での一端部には、位置検出用マーク１４が形成されている。位置検出用マーク１４は、複数の香料収容部１２の各々の位置を光学的に検出するための指標である。
【００３５】
図２に示されるように、基材１１の貼り付け面には、貼り付け面にて窪んだ部分であって、香料収容部１２を構成する複数の凹部１１ａが形成されている。凹部１１ａの底部には、芳香化合物を包接することによってその芳香化合物を取り囲んで固定したシクロデキストリンが収容されている。香料収容部１２は、例えば、芳香化合物を取り囲むシクロデキストリンを含む溶液が、塗布や印刷によって凹部１１ａ内に供給されることによって形成されている。凹部１１ａの深さは、例えば０．２ｍｍに形成される。複数の香料収容部１２の各々には、相互に異なる種類の香料に含まれる芳香化合物が収容されている。香料保持体１０では、所定の音声付動画の進行に応じて提供される香りの順番に合わせて複数の香料収容部１２の各々が並べられている。
【００３６】
図３および図４を参照して香り提供装置の構成について説明する。
図３に示されるように、香り提供装置は、香料保持体１０から被覆膜１３を剥離する剥離部３０と、香料保持体１０に水を供給する水供給部３１と、香料保持体１０を回収する回収部３２とを備える。これら剥離部３０、水供給部３１、および、回収部３２は、１つの方向に沿って延びる板状に形成された載置台３３に連結されている。香料保持体１０は、一方向に延びる板状の載置台３３に、香料収容部１２の配置された貼り付け面を上側にして載置される。香料保持体１０は、載置台３３の上で、剥離部３０および水供給部３１から回収部３２に向けて搬送される。
【００３７】
図４に示されるように、剥離部３０は、載置台３３の延びる方向にて載置台３３の端部に連結され、載置台３３に載置される香料保持体１０の香料収容部１２と面する位置に配置されている。剥離部３０に内蔵された剥離機構は、例えば、被覆膜１３を巻き取る剥離ローラー３０Ｒや剥離ローラー３０Ｒを回転させる機構などから構成されている。剥離部３０では、剥離ローラー３０Ｒが回転するとき、剥離ローラー３０Ｒと載置台３３との間を通過する香料保持体１０から被覆膜１３が剥がされて、剥がされた被覆膜１３が剥離ローラー３０Ｒに巻き取られる。
【００３８】
水供給部３１は、剥離部３０と同じく、載置台の延びる方向にて載置台３３の端部に連結され、載置台３３に載置される基材１１にて貼り付け面とは反対側の側面と面する位置に配置される。すなわち、水供給部３１は、載置台３３を挟んで剥離部３０と向かい合っている。水供給部３１に内蔵された水供給機構は、基材１１に水を供給する水供給ローラー３１Ｒや水供給ローラー３１Ｒを回転させる機構などから構成されている。水供給ローラー３１Ｒにおいて基材１１に摺接する周面は、繊維などの吸水材料によって形成され、その周面には、予め水が吸収されている。水供給部３１では、水供給ローラー３１Ｒが回転するとき、水供給ローラー３１Ｒと載置台３３との間を通過する香料保持体１０の基材１１に対し、水供給ローラー３１Ｒから水が供給される。
【００３９】
回収部３２は、載置台３３の延びる方向での載置台３３の端部のうち水供給部３１とは反対側の端部に連結されている。回収部３２は、載置台３３の端部に繋がる回収室３２Ａと、回収室３２Ａの内部に設けられた回収機構とを備えている。回収機構は、香料保持体１０を巻き取る回収ローラー３２Ｒや、回収ローラー３２Ｒを回転させる機構や駆動源などから構成される。回収部３２では、回収ローラー３２Ｒが回転するとき、載置台３３の端部に到達した香料保持体１０から順に、回収ローラー３２Ｒが香料保持体１０を巻き取る。そして、剥離部３０および水供給部３１を通過した香料保持体１０が回収室３２Ａに回収される。
【００４０】
回収室３２Ａの入口には、封止部３４が設けられている。封止部３４は、例えば、ゴムなどの通気性の低い弾性材から形成され、回収室３２Ａの入口部分の開口全体を塞いでいる。封止部３４の中央には、香料保持体１０が通されるスリットが形成され、香料保持体１０の回収室３２Ａへの進入を許容する一方で、回収室３２Ａの内部の空気は、回収室３２Ａの外部に漏れ出ることが封止部３４によって抑えられる。
【００４１】
載置台３３の延びる方向において、剥離部３０および水供給部３１と、回収部３２との間隔は、香料収容部１２の長さと同程度に設定されている。
剥離部３０と回収部３２との間には、位置検出部３５が設けられている。位置検出部３５は、ＣＣＤカメラなどから構成される。位置検出部３５は、載置台３３の上で搬送される香料保持体１０から位置検出用マーク１４を読み取り、位置検出部３５の下方に位置検出用マーク１４が配置されているか否かを検出する。
【００４２】
香料保持体１０は、回収ローラー３２Ｒの回転力を動力として、載置台３３上を剥離部３０および水供給部３１から回収部３２へ搬送される。このとき、香料保持体１０では、複数の香料収容部１２の各々が、搬送方向の前方側から提供される香りの順に並べられる。なお、香り提供装置には、図示しないベルトや留め具などが設けられており、香り提供装置は、人体に装着された状態で使用される、あるいは、椅子などに取り付けられた状態で使用される。
【００４３】
図５を参照して香り提供装置の電気的な構成について説明する。
図５に示されるように、香り提供装置が備える制御部４０は、位置検出部３５および再生装置４２から送信される情報に基づいてモーター駆動部４１に制御信号を出力する。
【００４４】
モーター駆動部４１には、回収部３２の駆動源であるモーターＭが接続されている。モーター駆動部４１は、制御部４０から入力された制御信号に基づいてモーターＭの駆動電流を生成し、その駆動電流をモーターＭに出力する。モーターＭは、モーター駆動部４１から入力される駆動電流によって駆動されて回収ローラー３２Ｒを回転する。
【００４５】
制御部４０は、外部の再生装置４２から送信される香り特定情報を受信する。香り特定情報は、再生装置４２にて再生される音声付動画の進行時刻に応じて規定されている情報であり、香り提供装置から所定の香りが提供される時刻を規定する情報である。また、制御部４０は、位置検出部３５が位置検出用マーク１４を検出したことを位置検出情報として位置検出部３５から受信する。
【００４６】
制御部４０は、香り特定情報と位置検出情報とに基づいて、回収部３２が備えるモーターの駆動タイミングと停止タイミングとを算出する。制御部４０は、算出された駆動タイミングと停止タイミングとに基づいて、モーターＭの駆動を制御するための制御信号をモーター駆動部４１に出力する。この際に、香り特定情報によって規定される進行時刻に合わせて、次の位置検出用マーク１４が位置検出部３５によって検出されるまで、制御部４０はモーターＭを駆動する。モーターＭが駆動されると、香料保持体１０が回収ローラー３２Ｒに巻き取られ、香料保持体１０が載置台３３に沿って搬送される。そして、剥離部３０および水供給部３１と、回収部３２との間に配置される香料収容部１２は一つ分ずらされる。これによって、制御部４０は、次に提供される香りに対応した香料収容部１２を、規定された進行時刻に、剥離部３０および水供給部３１と、回収部３２との間に配置させ、香り特定情報によって規定される進行時刻に、所定の香りを提供する。
【００４７】
図６を参照して、第１の実施形態における香り提供装置の作用について説明する。なお、図６では、水供給部３１によって水が供給される際の香料保持体１０の状態を模式的に示す。
【００４８】
図６に示されるように、水供給部３１に搬送される前の香料保持体１０における香料収容部１２では、芳香化合物とシクロデキストリンとの間にはたらく分子間力によって、芳香化合物がシクロデキストリンに包接された状態である。そのため、香料収容部１２からの芳香化合物の気化が抑えられている。
【００４９】
水供給部３１にて水が香料保持体１０に供給されると、供給された水は、基材１１の裏面から基材１１の内部に浸透して香料収容部１２に到達する。これにより、香料収容部１２では、芳香化合物を取り囲むシクロデキストリンと水とが混ざり合う。その結果、芳香化合物の徐放が進み、香料収容部１２から芳香化合物が気化する。
【００５０】
香料収容部１２に水が供給された後に、香料保持体１０は回収室３２Ａに収容される。回収室３２Ａの内部の空気は、香料収容部１２から気化した芳香化合物を含む一方で、封止部３４の封止機能によって回収室３２Ａの外部に漏れ出さない。
【００５１】
上述のように、水供給部３１と回収部３２との間隔は、香料収容部１２の１つ分の長さと同程度に設定される。したがって、水供給部３１と回収部３２との間に配置された１つの香料収容部１２のみから香りが提供され、その他の香料収容部１２からの香りの提供が抑えられる。したがって、提供される香りの精度を高めることが可能となる。
【００５２】
このとき、シクロデキストリンが芳香化合物を包接する性質が利用されているため、水供給部３１に搬送される前の香料収容部１２では、シクロデキストリン以外の他の分子と芳香化合物との接触が抑えられている。それゆえに、基材１１の上に単に香料が配置される構成と比較して、酸素などと芳香化合物との反応による香料の劣化も抑えられる。また、香料の劣化が抑えられた構成であるから、香料保持体１０そのものの搬送も容易である。
【００５３】
また、剥離部３０に搬送される前の香料保持体１０では、香料収容部１２が被覆膜１３に覆われ、剥離部３０にて被覆膜１３が剥離されると、香料収容部１２が露出される。水供給部３１に搬送される前の香料保持体１０では、水供給部３１の供給した水が気体として香料保持体１０に接触する場合がある。この点で、香料収容部１２が被覆膜１３に覆われる構成であれば、被覆膜１３が剥がされる前にて、香料収容部１２からの香りの発生が、より適切に抑えられる。
【００５４】
なお、従来のように、香料の収容された香料容器を用いて香りを発生させる構成では、気化に必要な液面の面積を確保できる大きさの香料容器と、香料容器への空気の流路とが香料の数だけ必要となるため、装置が大型化せざるを得ない。これに対して、第１の実施形態の香り提供装置では、空気の流路となる配管や空気の輸送量を制御する制御弁などを香料ごとに設ける必要がないため、香り提供装置としての小型化が可能ともなる。
【００５５】
また、従来、香りを提供する他の方法では、内部に香料を保持した微小な粒子を含む塗料が台紙に塗布され、使用者が台紙上の塗布箇所を擦って粒子を破壊することによって、香りが発生する。こうした方法でも、既に擦られた塗布箇所から香りが発生し続けて、意図しないタイミングで意図しない香りが提供されることがある。これに対し、第１の実施形態では、上述のように提供される香りの精度が高められるとともに、剥離部３０と回収部３２の間に配置される香料収容部１２は、香り特定情報に基づいて制御部４０によって制御されるため、使用者による操作が削減される。したがって、香りの提供に際しての煩雑さが軽減されるとともに、香りの提供の順番や提供の時刻の正確性も高められる。
【００５６】
なお、第１の実施形態では、剥離部３０、水供給部３１、および、載置台３３における剥離部３０と回収部３２との間の部分によって提供部が構成される。また、回収室３２Ａによって抑止部が構成され、回収ローラー３２Ｒ、および、それの駆動源によって搬送部が構成されている。
【００５７】
以上説明したように、第１の実施形態によれば、以下に列挙する効果が得られる。
（１）香りを提供する前の香料収容部１２からの香りの発生と、香りを提供した後の香料収容部１２からの香りの発生とが抑えられるため、提供される香りの精度が高められる。
【００５８】
（２）複数の香料収容部１２の各々が基材１１の延びる方向に並べられるため、所定の順番に香りを提供することが簡易な構成で実現できる。
（３）シクロデキストリンが芳香化合物を包接する性質と、シクロデキストリンと水との混合によってシクロデキストリンの包接が解除される性質とが、香料収容部１２からの香りの発生の制御に利用される。そして、香料収容部１２に水が供給されたか否かによって、芳香化合物の気化の開始が制御されるため、香りが提供されるべきタイミングと水の供給タイミングとの整合によって、より適切なタイミングで香りを提供することが可能ともなる。また、香料そのものが基材１１に配置される構成と比べて、芳香化合物と酸素などとの反応による香料の劣化も抑えられる。
【００５９】
（４）基材１１の表面である貼り付け面とは反対側の裏面から水が供給されるため、水供給部３１と香料収容部１２とが基材１１によって物理的に隔絶される。それゆえに、水供給部３１などに芳香化合物やシクロデキストリンの一部が付着することが抑えられる。また、水漏れなどによって香料収容部１２と水とが不要に混合することも抑えられる。
【００６０】
（第２の実施形態）
図７〜図９を参照して、香料保持体、および、香り提供装置の第２の実施形態について説明する。なお、第２の実施形態は、香料保持体の構成と香り提供装置の構成の一部とが第１の実施形態とは主に異なる。そのため、以下では、第１の実施形態との相違点について主に説明する。まず、図７および図８を参照して、香料保持体の構成について説明する。
【００６１】
図７に示されるように、香料収容部１２は、互いに異なる物質が保持される第１収容部１２ａと第２収容部１２ｂとを有している。第１収容部１２ａには、芳香化合物を取り囲むシクロデキストリンが保持される一方で、第２収容部１２ｂには、水が保持されている。第１収容部１２ａと第２収容部１２ｂとは、１つの香料収容部１２内でほぼ均等に分散している。
【００６２】
図８に示されるように、第１収容部１２ａは、凹部１１ａ内において隔離部材としての隔離壁１５によって囲まれた領域であり、芳香化合物を取り囲むシクロデキストリンがその領域に充填されている。第２収容部１２ｂは、これもまた凹部１１ａ内において隔離壁１５によって囲まれた領域であり、その領域に水が充填されている。隔離壁１５は、粘着性を有する樹脂から形成され、貼り付け面に面する側とは反対側の面にて支持体１６に支持されている。複数の香料収容部１２の各々において、第１収容部１２ａは、相互に異なる種類の香料に含まれる芳香化合物を含む。
【００６３】
なお、第２の実施形態における基材１１は、ポリエチレンテレフタレート（ＰＥＴ）製のフィルムである。
図９を参照して、第２の実施形態における香り提供装置の作用について説明する。なお、第２の実施形態における香り提供装置には、水供給部３１が設けられていない。
【００６４】
図９に示されるように、剥離部３０に搬送される前の香料保持体１０においては、隔離壁１５によって第１収容部１２ａと第２収容部１２ｂとが隔離された状態にある。第１収容部１２ａでは、芳香化合物とシクロデキストリンとの間にはたらく分子間力によって、芳香化合物がシクロデキストリンに包接された状態であるため、芳香化合物の気化が抑えられる。
【００６５】
剥離部３０にて支持体１６が剥がされると、支持体１６とともに隔離壁１５が基材１１から剥がされる。隔離壁１５が基材１１から取り除かれることによって、凹部１１ａ内では、芳香化合物を取り囲むシクロデキストリンと水とが混ざり合う。その結果、芳香化合物の徐放が進み、香料収容部１２から芳香化合物が気化する。
【００６６】
芳香化合物を取り囲むシクロデキストリンと水とが香料収容部１２で混ざり合った後に、香料保持体１０は回収室３２Ａに収容される。回収室３２Ａの内部の空気は、香料収容部１２から気化した芳香化合物を含む一方で、封止部３４の封止機能によって回収室３２Ａの外部に漏れ出さない。それゆえに、剥離部３０と回収部３２との間に配置された１つの香料収容部１２のみから香りが提供され、その他の香料収容部１２からの香りの提供が抑えられる。また、芳香化合物を取り囲むシクロデキストリンと水とが香料保持体１０に備えられているため、一方の物質を別途準備することなく香りを提供することができる。
【００６７】
なお、第２の実施形態では、剥離部３０、および、載置台３３における剥離部３０と回収部３２との間の部分によって提供部が構成される。また、回収室３２Ａによって抑止部が構成され、回収ローラー３２Ｒ、および、それの駆動源によって搬送部が構成されている。また、支持体１６は香料保持体１０から割愛されてもよい。
【００６８】
以上説明したように、第２の実施形態によれば、上記（１）〜（３）に準じた効果に加え、以下の効果が得られる。
（５）芳香化合物を取り囲むシクロデキストリンと水とが香料保持体１０に備えられているため、一方の物質を別に準備することなく香りを提供することができる。
【００６９】
（第３の実施形態）
図１０〜図１２を参照して、香料保持体、および、香り提供装置の第３の実施形態について説明する。なお、第３の実施形態は、香料保持体の構成と香り提供装置の構成の一部とが第１の実施形態とは主に異なる。そのため、以下では、第１の実施形態との相違点について主に説明する。まず、図１０および図１１を参照して、香料保持体の構成について説明する。
【００７０】
図１０に示されるように、香料保持体１０は、香料収容部１２と、香料収容部１２と接続された封入部としての水収容部１７とを備えている。香料収容部１２には、芳香化合物を取り囲むシクロデキストリンが収容され、水収容部１７には、水が収容されている。香料収容部１２と水収容部１７とは、ともに基材１１に形成された凹部１１ａの内部に形成されている。
【００７１】
香料収容部１２および水収容部１７は、平面視にて相互に同径の円形状に形成される。複数の香料収容部１２と複数の水収容部１７とは、基材１１の延びる方向に沿って交互に並べられている。相互に隣り合う香料収容部１２と水収容部１７とは、基材１１の延びる方向に沿って延びる連絡路１８によって連結されている。基材１１の延びる方向と直交する方向において、連絡路１８の幅は、香料収容部１２の内径および水収容部１７の内径よりも十分に小さい。香り提供装置において、連絡路１８によって連結された香料収容部１２と水収容部１７とでは、香料保持体１０の搬送方向の前側に水収容部１７が配置され、香料保持体１０の搬送方向の後側に香料収容部１２が配置される。
【００７２】
基材１１の延びる方向において、連絡路１８の途中には、例えば、ゲル状の物質から形成される隔離部材１９が設けられている。隔離部材１９は、連絡路１８の内部を塞いで香料収容部１２と水収容部１７とを相互に隔離している。連絡路１８の圧力のうち、香料収容部１２側の圧力と水収容部１７側の圧力との間に規定値以上の差が生じるとき、隔離部材１９は連絡路１８から押し出される。そして、隔離部材１９が連絡路１８から押し出されると、香料収容部１２の内部と水収容部１７の内部とが連通する。
【００７３】
図１１に示されるように、基材１１に貼り合わされた被覆膜１３のうち、香料収容部１２と重なる部分には、香料収容部１２の内部と外部とを連通する微細な孔である気化孔１３ａが形成されている。なお、第３の実施形態では、基材１１は、ポリエチレンテレフタラート（ＰＥＴ）製のフィルムから形成される。
【００７４】
図１２を参照して、第３の実施形態における香り提供装置の構成について説明する。
図１２に示されるように、第３の実施形態の香り提供装置では、剥離部３０が省略され、押圧部３６が備えられている。押圧部３６は、載置台３３の延びる方向にて載置台３３の端部に連結され、載置台３３に載置された香料収容部１２や水収容部１７と面する位置に配置されている。押圧部３６に内蔵された押圧機構は、押圧ローラー３６Ｒや、押圧ローラー３６Ｒを回転させる機構などから構成されている。押圧部３６では、押圧ローラー３６Ｒが回転するとき、押圧ローラー３６Ｒと載置台３３との間を通過する香料保持体１０には、押圧ローラー３６Ｒからの押圧力が上下方向に沿って作用する。
【００７５】
第３の実施形態における香り提供装置の作用について説明する。
押圧部３６に搬送される前の香料保持体１０の香料収容部１２においては、芳香化合物がシクロデキストリンに取り囲まれた状態であるため、芳香化合物の気化が抑えられる。
【００７６】
香料収容部１２および水収容部１７が押圧部３６に搬送されると、搬送方向の前方側に配置されている水収容部１７が、まず押圧される。水収容部１７が押圧されると、連絡路１８では、隔離部材１９よりも水収容部１７側の圧力が高まり、隔離部材１９が連絡路１８から香料収容部１２へ押し出され、水収容部１７に収容される水が連絡路１８を通って香料収容部１２へ押し込まれる。結果として、香料収容部１２では、芳香化合物を取り囲むシクロデキストリンと水とが混ざり合い、シクロデキストリンから芳香化合物が解放される。そして、シクロデキストリンから解放された芳香化合物は、被覆膜１３に形成された気化孔１３ａを通じて、香料収容部１２から外部へ気化する。
【００７７】
押圧部３６を通過した香料収容部１２および水収容部１７は、回収部３２に搬送される。回収室３２Ａの内部の空気は、香料収容部１２から気化した芳香化合物を含む一方で、封止部３４の封止機能によって回収室３２Ａの外部に漏れ出さない。それゆえに、押圧部３６と回収部３２との間に配置された１つの香料収容部１２のみから香りが提供され、その他の香料収容部１２からの香りの提供が抑えられる。
【００７８】
また、香料収容部１２は被覆膜１３で覆われており、芳香化合物の気化は気化孔１３ａから行われるため、香料収容部１２が押圧部３６を通過する際に、芳香化合物やシクロデキストリンが直接押圧ローラー３６Ｒに付着することが抑えられる。
【００７９】
なお、第３の実施形態では、押圧部３６、および、載置台３３における押圧部３６と回収部３２との間の部分によって提供部が構成される。また、回収室３２Ａによって抑止部が構成され、回収ローラー３２Ｒ、および、それの駆動源によって搬送部が構成されている。
【００８０】
以上説明したように、第３の実施形態によれば、上記（１）〜（３）、（５）に準じた効果に加え、以下の効果が得られる。
（６）芳香化合物を取り囲むシクロデキストリンと水との混合は、水収容部１７が押圧されたか否かによって制御される。それゆえに、香りを発生させるべきタイミングと押圧のタイミングとの整合によって、より適切なタイミングで香りを提供することが可能ともなる。
【００８１】
（第４の実施形態）
図１３〜図１５を参照して、香料保持体、および、香り提供装置の第４の実施形態について説明する。なお、第４の実施形態は、香料保持体の構成と香り提供装置の構成の一部とが第１の実施形態とは主に異なる。そのため、以下では、第１の実施形態との相違点について主に説明する。まず、図１３を参照して、香料保持体の構成について説明する。
【００８２】
図１３に示されるように、香料保持体１０における基材１１の貼り付け面には、複数の加熱用金属膜２０が形成されている。加熱用金属膜２０は、銅薄膜であって、基材１１の延びる方向と直交する方向に沿って基材１１のほぼ全幅にわたり形成される。加熱用金属膜２０は、真空蒸着法などによって形成され、凹部１１ａの内側面を含む領域に敷設されている。複数の加熱用金属膜２０の各々は、香料収容部１２と重なる位置に配置され、基材１１の延びる方向に沿って等間隔に並べられている。香料収容部１２は、加熱用金属膜２０が形成された凹部１１ａの底部に塗布形成されている。したがって、基材１１の延びる方向と直交する方向における香料収容部１２の両側には、加熱用金属膜２０の両端部が露出される。
【００８３】
基材１１の延びる方向における加熱用金属膜２０の長さは、例えば、１ｍｍである。基材１１の延びる方向と直交する方向における加熱用金属膜２０の長さは、同方向における基材１１の長さと同程度であり、加熱用金属膜２０の厚さは、例えば、１０００オングストロームである。なお、第４の実施形態において、基材１１は、耐熱性の高い材料から形成されることが好ましい。
【００８４】
図１４を参照して、第４の実施形態における香り提供装置の構成について説明する。
図１４に示されるように、剥離部３０および水供給部３１と、回収部３２との間において、香料収容部１２と面する位置には、加熱部３７が配置されている。加熱部３７は、加熱電極３７Ｅと加熱電極３７Ｅに電流を供給する電源３７Ｃとから構成されている。加熱電極３７Ｅは、基材１１の延びる方向と直交する方向に沿って並べられた２つの銅板であり、２つの銅板の間の間隔は、基材１１の延びる方向と直交する方向における基材１１の幅と同程度に設定されている。２つの銅板の一端は、電源３７Ｃに接続され、２つの銅板の他端は、香料保持体１０の表面と摺接することの可能な状態に湾曲している。
【００８５】
図１５を参照して、第４の実施形態における香り提供装置の作用について説明する。なお、図１５では、加熱電極３７Ｅと、加熱電極３７Ｅの付近を通過する香料保持体１０のみを図示する。
【００８６】
図１５に示されるように、香料保持体１０が搬送されると、香料保持体１０に形成された複数の加熱用金属膜２０の各々と加熱電極３７Ｅとが接触する。この際に、加熱電極３７Ｅにおける２つの銅板の端部は、複数の加熱用金属膜２０の各々における両端部と接触する。２つの銅板の端部と接触する加熱用金属膜２０は、２つの銅板を通じて電源３７Ｃから電流が供給されて発熱する。結果として、香料保持体１０が搬送されると、複数の加熱用金属膜２０が搬送方向の前側から順に発熱し、加熱用金属膜２０と重なる香料収容部１２は加熱される。そして、香料収容部１２では、芳香化合物を取り囲むシクロデキストリンと水とが混合された状態であるため、香料収容部１２が加熱されることによって、香料収容部１２からの芳香化合物の気化が促進される。
【００８７】
なお、複数の加熱用金属膜２０の各々に供給される電流の大きさは、制御部４０によって制御される。例えば、香り特定情報が、所定の香りの提供時刻と提供濃度との情報を含むとき、制御部４０は、提供濃度の情報に基づいて、加熱電極３７Ｅに供給される電流の大きさを制御する。例えば、制御部４０は、所定の香りの提供濃度を高めるとき、加熱電極３７Ｅに供給される電流値を高め、所定の香りの提供濃度を低くするとき、加熱電極３７Ｅに供給される電流値を低くする。これにより、提供部から提供される香りの濃度が制御される。
【００８８】
なお、加熱用金属膜２０は基材１１に比べて熱容量が十分に小さいため、加熱電極３７Ｅが加熱用金属膜２０から離れると、加熱用金属膜２０は短時間で冷却される。したがって、加熱部３７を通過した香料収容部１２が冷却されるまでに要する時間も短いため、加熱部３７を通過した香料収容部１２から芳香化合物が過度に気化することが抑えられる。結果として、加熱の停止に対する香りの提供の応答性が高められる。
【００８９】
また、加熱電極３７Ｅに電流が流されることによって、提供部の近傍における空気も加熱される。その結果、提供部の近傍に上昇気流が発生して、香料収容部１２から気化した芳香化合物が上昇気流によって効率的に運ばれる。香りを運ぶために送風機構が用いられる場合には、香りを運ぶ効率を高めるために送風量を増大させると、空気量が多くなって結果的に香りが弱まるという問題がある。これに対し、上述のように加熱によって上昇気流を発生させれば、香りが弱まることを抑えながら効率よく香りを提供することができる。
【００９０】
以上説明したように、第４の実施形態によれば、上記（１）〜（４）に準じた効果に加え、以下の効果が得られる。
（７）提供部にて香料収容部１２が加熱されることによって、芳香化合物の気化が促進されるため、香りの提供の効率が高められる。
【００９１】
（８）熱容量の小さい銅薄膜からなる加熱用金属膜２０に電流が供給されることによって、香料収容部１２が加熱される。したがって、加熱用金属膜２０への電流の供給が停止されてから香料収容部１２が冷めるまでに要する時間が短いため、香りの提供の停止に対する応答性が高められる。
【００９２】
（変形例）
上記実施形態は、以下のように変更して実施することが可能である。
・香料収容部１２を加熱する構成は、第５の実施形態に記載の構成に限られない。
【００９３】
図１６に示されるように、基材１１における貼り付け面とは反対側の面を加熱するヒーターなどの加熱部３８が提供部に設けられていてもよい。この構成においても、提供部に配置された香料収容部１２では、貼り付け面とは反対側の面から加熱が進み、香料収容部１２からの芳香化合物の気化は促進される。また、香料収容部１２を加熱する構成は、赤外線ランプなどの熱源であってもよく、香料保持体１０と接触することなく香料収容部１２を加熱する構成であってもよい。ただし、香料収容部１２が形成されている貼り付け面に対して加熱が行われる構成の方が、香料収容部１２の加熱や冷却に要する時間を短くすることが可能である。
【００９４】
・加熱部は、香料収容部１２を加熱する機能と、提供部の近傍における空気を加熱によって上昇させて、香料収容部１２からの香りを空気によって上方に導く機能との、いずれか一方を有してもよく、両方を有してもよい。また、香料収容部１２を加熱する第１の加熱部と、提供部の近傍における空気を加熱によって上昇させて、香料収容部１２からの香りを空気によって上方に導く第２の加熱部との２つの加熱部を備えてもよい。この場合、香りの提供される度合いが、第１の加熱部による加熱と、第２の加熱部による加熱とによって各別に変わる。また、提供部の近傍における空気のみが加熱される構成であれば、香料収容部１２が加熱される構成と比べて、加熱部による加熱が停止された後に、香料収容部１２からの芳香化合物の気化が抑えられるため、加熱の停止に対する香りの提供の応答性が高められる。
【００９５】
・加熱部を備える香り提供装置は、加熱部による加熱が停止された後に、香料収容部１２を冷却する冷却部をさらに備えてもよい。これによれば、加熱部による加熱が停止されてから香料収容部１２が冷えるまでに要する時間が冷却部の駆動によって短縮されるため、加熱の停止に対する香りの提供の応答性が高められる。なお、冷却部としては、例えば、冷却用のローラーや、香料収容部１２との接触によって香料収容部１２を吸熱する金属板などの吸熱部材を用いることが好ましい。
【００９６】
・図１７に示されるように、香り提供装置は、香りを提供した香料収容部１２に対して抑止膜２１を貼り付ける貼付部３９を抑止部として備えてもよい。例えば、貼付部３９は、抑止膜２１を供給する貼付ローラー３９Ｒや貼付ローラー３９Ｒを回転させる機構などから構成される貼付機構を備え、香料保持体１０の搬送方向において回収部３２の手前側に配置される。そして、貼付ローラー３９Ｒが回転すると、貼付ローラー３９Ｒに巻き付けられている抑止膜２１が香料保持体１０に押し付けられて、貼付ローラー３９Ｒと載置台３３との間を通過する香料保持体１０に抑止膜２１が貼り付けられる。これによって、香りを提供した後の香料収容部１２から芳香化合物がさらに気化することが抑えられる。なお、この際に、封止部３４は割愛されてもよいし、また、回収部３２が設けられず、提供部にて香りを提供した香料保持体１０は回収されなくてもよい。
【００９７】
・回収室３２Ａからの香りの発生を抑制する構成は、封止部３４に限られない。例えば、香料保持体１０の基材１１における貼り付け面とは反対側の裏面にも粘着性を有し、基材１１が回収室３２Ａにて巻き取られた際に、先に巻き取られた基材１１における香料収容部１２が、後に巻き取られる基材１１の裏面で被われてもよい。こうした構成によっても、回収室３２Ａの内部における香料保持体１０からの芳香化合物の気化は抑えられる。
【００９８】
・水供給部３１は、タンクなどの貯水部と配管によって接続され、その配管を通じて水供給ローラー３１Ｒに水を供給してもよい。
・香料収容部１２に供給される水は、基材１１の貼り付け面側である表側から香料収容部１２に対して供給されてもよい。
【００９９】
・図１８に示されるように、１つの香料収容部１２は、香料保持体１０のうち提供部で一度に露出される部分であって、相互に分離された複数の区画領域１２ｃを有し、区画領域１２ｃの各々には、相互に異なる種類の香料に含まれる芳香化合物を取り囲むシクロデキストリンが保持されていてもよい。こうした構成によれば、提供部にて、複数の区画領域１２ｃから発生する香りが混合されて提供される。
【０１００】
・１つの香料保持体１０には、相互に同じ種類の香料に含まれる芳香化合物を取り囲むシクロデキストリンを含む香料収容部１２が配置されてもよい。
・香料保持体１０は、芳香化合物およびシクロデキストリンが収容されていない香料収容部１２を含んでもよい。芳香化合物およびシクロデキストリンが収容されていない香料収容部１２は、それが提供部で露出するときに香りを提供しない。これによれば、例えば、香料保持体１０の搬送が連続する場合であっても、香りの提供が間欠となるため、香りを提供しない期間が含まれる音声付動画に対応することが容易にもなる。
【０１０１】
・１つの香料保持体１０に備えられる香料収容部１２の数は１つであってもよい。この場合であっても、１つの香料収容部１２が提供部に配置されているとき以外は、当該香料収容部１２からの芳香化合物の気化が抑えられるため、提供される香りの精度を高めることができる。
【０１０２】
・基材１１に凹部１１ａが形成されず、芳香化合物を取り囲むシクロデキストリンが基材１１の貼り付け面に配置されてもよい。
・シクロデキストリンによる芳香化合物の包接を解除する物質は、水に限られない。例えば、芳香化合物が有する極性などによっては、包接を解除する物質として有機溶媒が供給されてもよい。また、水と他の物質が混合された液体でもよい。要は、シクロデキストリンに包接された芳香化合物との相互作用によってシクロデキストリンから芳香化合物を開放する物質であればよい。
【０１０３】
・芳香化合物が固定された不揮発性化合物とその固定を解除する液体との組み合わせは、芳香化合物を包接したシクロデキストリンと水とに限られない。例えば、分子間力などの相互作用によって芳香化合物が固定された不揮発性化合物と、これらの物質との間の分子間力などによって上記相互作用を弱めて、芳香化合物を気化させる液体との組み合わせであってもよい。
【０１０４】
・香料保持体１０の材料や形状は、上述の例に限られない。例えば、基材１１が円板状に形成され、基材１１が回転することによって、香料保持体１０が各部間で搬送されてもよい。要は、香料保持体、および、香り提供装置は、芳香化合物が固定された不揮発性化合物とその固定を解除する液体とが混合されることによって、香りが提供される態様であればよい。
【０１０５】
・複数の香料収容部１２の各々は、香料の属性を示す指標をさらに備えてもよい。例えば、香料収容部１２が保持する香料の種類ごとに、香料収容部１２が異なる色に着色されていてもよい。この場合には、現在提供されている香りの種類や次に提供される香りの種類が、外部からの視認によって把握される。なお、香料の属性を示す指標は、色の他、印刷された模様や文字、あるいは形状等であってもよい。また、香料収容部１２に埋め込まれたＩＣチップが指標としての機能を備え、例えば、ＩＣチップが有するＩＤの読み取りによって香料の属性が把握される構成としてもよい。香料の属性には、香料の種類や香りの強さ、保障期間等が含まれる。
【０１０６】
・香料保持体１０の搬送には、回収ローラー３２Ｒの回転に限らず、他のローラーの回転が動力として用いられてもよい。また、香料保持体１０の搬送には、これらのローラーの回転とは別に、他の動力が用いられてもよい。また、香料保持体１０を搬送するための動力源は、例えば、ぜんまいバネなどであってもよい。この場合には、香り提供装置の構成が簡素になるため、香り提供装置の製造にかかる費用を削減することができる。
【０１０７】
・香料保持体１０が、ローラー等に巻きつけられた状態から供給部に供給されてもよい。
・香り提供装置には、香りの発生や香料の飛散を促す風を送る送風部が提供部に備えられてもよい。
【０１０８】
・位置検出用マーク１４と位置検出部３５の構成は、光学的に位置検出用マーク１４を読み取る構成に限らず、磁気やＩＣを利用して位置検出用マーク１４の位置を読み取る構成であってもよい。
【０１０９】
・位置検出用マーク１４は、基材１１における貼り付け面とは反対側の面に形成されて、香料収容部１２の各々に対応付けられてもよい。この場合、位置検出部３５は、供給部と抑止部との間に設けられて、貼り付け面とは反対側の面にて位置検出用マーク１４を認識する。
【０１１０】
・相互に隣り合う香料収容部１２の間の間隔などに基づいて、モーターＭの駆動量が予め設定される場合には、位置検出用マーク１４と位置検出部３５が設けられていなくてもよい。
【０１１１】
・制御部４０が受信する香り特定情報は、音声付動画に限らず、音声のみや、表示される静止画などのコンテンツと香りとが対応付けられる情報であってもよい。また、コンテンツと香り特定情報は、予め、香り提供装置に記憶されていてもよい。あるいは、香料保持体１０にＩＣチップが備えられ、ＩＣチップにコンテンツと香り特定情報が記憶されていてもよい。この場合、香りつきコンテンツとして、コンテンツと提供される香りの情報と香りの発生源とが一元化されて管理される。
【０１１２】
・香り提供装置は、音声付動画の進行に応じて予め設定された香りを提供する装置に限らず、時間や場所、その他の要素に応じて予め設定された香りを提供する装置であってもよい。また、香り提供装置の利用される態様は、人体に装着されて利用される態様に限らず、香りが提供される設備などに設置されて利用される態様であってもよい。
【符号の説明】
【０１１３】
１０…香料保持体、１１…基材、１２…香料収容部、１３…被覆膜、１４…位置検出用マーク、１５…隔離壁、１６…支持体、１７…水収容部、１８…連絡路、１９…隔離部材、２０…加熱用金属膜、３０…剥離部、３１…水供給部、３２…回収部、３２Ａ…回収室、３３…載置台、３４…封止部、３５…位置検出部、３６…押圧部、３７，３８…加熱部、４０…制御部。
【図１】
2014136124.tif 000003
【図２】
2014136124.tif 000004
【図３】
2014136124.tif 000005
【図４】
2014136124.tif 000006
【図５】
2014136124.tif 000007
【図６】
2014136124.tif 000008
【図７】
2014136124.tif 000009
【図８】
2014136124.tif 000010
【図９】
2014136124.tif 000011
【図１０】
2014136124.tif 000012
【図１１】
2014136124.tif 000013
【図１２】
2014136124.tif 000014
【図１３】
2014136124.tif 000015
【図１４】
2014136124.tif 000016
【図１５】
2014136124.tif 000017
【図１６】
2014136124.tif 000018
【図１７】
2014136124.tif 000019
【図１８】
2014136124.tif 000020